(57)【要約】【課題】折畳杖の折り畳みと組み立てを容易にし且つ高い強度を持つ折畳杖を提供する。【解決手段】連結部を構成する雄継手２０と雌継手３０と継手リング４０とを以下のように形成したことを特徴とする。前記継手リング４０には、前記雄継手２０の前記雄パイプ嵌合部２５を緩挿する継手穴４６が形成され、前記雄継手２０の雄鍔２３を当接させる継手当接面４３１が形成され、前記雌継手３０の雌鍔３３を案内する継手係合部４３３が形成され、前記雄継手２０に形成されている雄テーパ部２１と前記雌継手３０に形成されている雌テーパ部３１との面接触が唯一の接触部分であるように前記雄継手２０と前記雌継手３０とが形成され、前記雄テーパ部２１の両側にはテーパ状の雄係止部２１１及び雄案内部２１２が形成され、前記雌テーパ部３１に隣接してテーパ状の雌案内部３１１が形成されている。【選択図】図２
2005278943.tif 000002
【特許請求の範囲】
【請求項１】
複数本のパイプを連結部によって連結し、上端及び下端とで固定したゴム紐をパイプ内部に挿通し、上端にハンドルを下端に石突きを装着し、折り畳んで収納可能にした折畳杖において、
連結部材（１０）は雄継手（２０）と雌継手（３０）と継手リング（４０）とから構成され、継手リング（４０）は前記雄継手（２０）の雄パイプ嵌合部（２５）を緩挿する継手穴（４６）が形成され、前記雄継手（２０）の雄鍔（２３）を当接させる継手当接面（４３１）が形成され、前記雌継手（３０）の雌鍔（３３）を案内する継手係合部（４３３）を形成したことを特徴とする折畳杖。
【請求項２】
雄継手（２０）に設けた雄テーパ部（２１）と雌継手（３０）に設けた雌テーパ部（３１）とが面接触し、前記雄テーパ部（２１）の両側にはテーパ状の雄係止部（２１１）及び雄案内部（２１２）が形成され、前記雌テーパ部（３１）に隣接してテーパ状の雌案内部（３１１）が形成されていることを特徴とする請求項１記載の折畳杖。
【請求項３】
前記継手リング（４０）には、蓄光材料が付加されていることを特徴とする請求項１又は２記載の折畳杖。
【請求項４】
複数本のパイプを連結部によって連結し、上端及び下端とで固定したゴム紐をパイプ内部に挿通し、上端にハンドルを下端に石突きを装着し、折り畳んで収納可能にした折畳杖において、
連結部が連結部材（１０）である雄継手（２０）と雌継手（３０）と継手リング（４０）とから構成され、前記雄継手（２０）に設けた雄テーパ部（２１）と前記雌継手（３０）に設けた雌テーパ部（３１）とが面接触し、前記雄テーパ部（２１）の両側にはテーパ状の雄係止部（２１１）及び雄案内部（２１２）が形成され、前記雌テーパ部（３１）に隣接してテーパ状の雌案内部（３１１）が形成され、前記継手リング（４０）には前記雄継手（２０）の前記雄パイプ嵌合部（２５）を緩挿する継手穴（４６）を設けて前記雄継手（２０）の雄鍔（２３）を当接させる継手当接面（４３１）が形成されるとともに前記雌継手（３０）の雌鍔（３３）を案内する継手係合部（４３３）が形成され、前記雄継手（２０）の中心部に雄紐穴（２６）を設け、前記雌継手（３０）の中心部に雌紐穴（３６）を設けたことを特徴とする折畳杖。
【発明の詳細な説明】
【技術分野】
【０００１】
本発明は、折畳杖の折り畳みと組み立てを容易にし、且つ細くて高い強度を持つ折畳杖に関するものである。
【背景技術】
【０００２】
従来の折畳杖には、図６に示されるように、折り畳み収納した杖を取り出すと、各筒体（４Ａ、５Ａ、６Ａ）はゴム紐（７Ａ）で引っ張られ、この際に、ソケット・プラグ管継手が先端方向に拡径されたコンセント部（４ａＡ、５ａＡ、６ａＡ）と先端が縮径されたプラグ部（４ｂＡ、５ｂＡ、６ｂＡ）とが対になっているので、自然に両者が連結され、単に取り出すだけで杖として使用できる状態となる折畳杖の継手部が開示されている（例えば、特許文献１参照）。
【０００３】
また、図７に示されるように、各短筒体１ａＢ、１ｂＢの上端部及び下端部には、嵌着可能な構造が設けられている。例えば、下方に位置する短筒体の上端外周径は、上方に位置する短筒体の下端開口部６Ｂの内周径よりやや細く形成されていたり、下方に位置する短筒体の上端開口部に上方に位置する短筒体の下端開口部６Ｂの内周径よりやや細いパイプ部材２Ｂが固着される折畳みステッキの継手部が開示されている。但し、上記記載の「下方に位置する短筒体の上端開口部に上方に位置する短筒体の下端開口部６Ｂの内周径よりやや細いパイプ部材２Ｂが固着」は図７から判断すると「上方に位置する短筒体の下端開口部に下方に位置する短筒体の上端開口部６Ｂの内周径よりやや細いパイプ部材２Ｂが固着」と考えられる（例えば、特許文献２参照）。
【０００４】
さらに、図８に示されるように、ステッキ本体が複数の棒状体４Ｃに分割されたステッキであって、上記棒状体４Ｃの端部同士がねじ部で連結され、連結部分の下側に位置するパイプ４Ｃ端部には、雄ねじ部６Ｃが設けられた第１連結具１１Ｃが取り付けられ、連結部分の上側に位置するパイプ４Ｃ端部には、雌ねじ部７Ｃが設けられた第２連結具１２Ｃが取り付けられた折畳みステッキの継手部が開示されている（例えば、特許文献３参照）。
従来から市販され使用されている折畳杖の連結部が、図９に示されるように、雄継手２０Ｄと雌継手３０Ｄからなり、雄継手２０Ｄに雄テーパ部２１Ｄと雄直線案内部２２Ｄを有し、雌継手３０Ｄに雌テーパ部３１Ｄを有する連結部の構成が開示されている（以後、上記の開示を、従来市販品と記載する）。
【０００５】
【特許文献１】実開平７−１４９１３号公報（第４頁第２２行乃至第２５行、第２頁図１及び図３）
【特許文献２】特開２００１−１７８５１３号公報（第２欄第２５行乃至第３１行及び第３頁図１）
【特許文献３】特開２００１−３５３０１０号公報（第１欄請求項1、第４欄第４２行乃至第４６行及び第６頁図４）
【発明の開示】
【発明が解決しようとする課題】
【０００６】
従来の折畳杖である特許文献１の折り畳み部分の連結においては、筒体を縮径させたプラグ部と拡径させたコンセント部を形成したコンセント・プラグ式管継手という簡単な方法で連結している。しかしながら、プラグ部にはゴム紐ストッパーを設けてゴム紐をプラグ部穴径の中心部分に誘導しているがコンセント部にはゴム紐の中心への誘導が無いので杖として使用できる状態にしようとするときに連結が短時間に容易に行われないこと、連結構造が筒体の縮径と拡径によって行われているために連結部が摩耗した場合には嵌合が悪くなって杖そのものがぐらつき危険になるという問題点があった。
【０００７】
特許文献２の連結においては、一方の短筒体の開口部へ他方の短筒体の開口部に固着されたパイプ部材を嵌着して連結する。しかしながら、紐体が短筒体の内部を直径方向へ自由に移動できる構造となっているために、開口部とパイプ部材とを正確に合わせて組み立てる必要があること、したがって指を挟む可能性もあり危険であるという問題点があった。
【０００８】
さらに、特許文献3の連結においては、棒状体の端部同士がねじ部で連結される。したがって、折り畳みステッキの確実な連結を約束しているがステッキとして組み立てて使用するために雄ねじと雌ねじを嵌めて回転させるという行為にかなりの時間が必要とされるという問題点があった。
【０００９】
また、従来市販品の折畳杖の連結部においては、図９（ａ）に示されるように、雄継手２０Ｄの雄テーパ部２１Ｄと雌継手３０Ｄの雌テーパ部３１Ｄは面で接触しておらず、円周部分で接触しているために連結が弱く折畳杖の曲げ方向に対する強度が弱いという問題点があった。
【課題を解決するための手段】
【００１０】
本発明は、複数本のパイプを連結部によって連結し、上端及び下端とで固定したゴム紐をパイプ内部に挿通し、上端にハンドルを下端に石突きを装着し、折り畳んで収納可能にした折畳杖において、
連結部材（１０）は雄継手（２０）と雌継手（３０）と継手リング（４０）とから構成され、継手リング（４０）は前記雄継手（２０）の雄パイプ嵌合部（２５）を緩挿する継手穴（４６）が形成され、前記雄継手（２０）の雄鍔（２３）を当接させる継手当接面（４３１）が形成され、前記雌継手（３０）の雌鍔（３３）を案内する継手係合部（４３３）を形成した構成とし、
雄継手（２０）に設けた雄テーパ部（２１）と雌継手（３０）に設けた雌テーパ部（３１）とが面接触し、前記雄テーパ部（２１）の両側にはテーパ状の雄係止部（２１１）及び雄案内部（２１２）が形成され、前記雌テーパ部（３１）に隣接してテーパ状の雌案内部（３１１）を形成した構成とし、
継手リング（４０）には、前記雄継手（２０）の前記雄パイプ嵌合部（２５）を緩挿する継手穴（４６）が形成され、前記雄継手（２０）の雄鍔（２３）を当接させる継手当接面（４３１）が形成され、前記雌継手（３０）の雌鍔（３３）を案内する継手係合部（４３３）を形成した構成とし、更に前記継手リング（４０）には、蓄光材料が付加されている折畳杖を提供することにより上記の課題を解決する手段としたものである。
【発明の効果】
【００１１】
本発明の折畳杖は、継手リング４０の継手係合部４３３に雌継手３０の雌鍔３３が遊嵌されていることにより雌継手３０装着側のパイプ部材５０のぐらつき及び雄継手２０と雌継手３０との連結の僅かな遊びが発生した際においても雌鍔３３が継手係合部４３３によって動きを抑制され雄継手２０と雌継手３０との完全な連結を確保するように働くという効果、折畳杖の軸直角方向の荷重に対してもたわみ量が少なく強度が強く安全性も確保され細くて強い効果を発揮する。また雄継手２０と雌継手３０との連結が雄テーパ部２１と雌テーパ部３１との面接触によって行われており、雄継手２０と雌継手３０とがテーパ部以外のいかなる部分でも接触しないように形成されていることによって、折畳杖の軸方向及び軸直角方向の力に対して連結をより強くするように働くという効果を発揮する。
【００１２】
さらに、雄遊嵌面２３２と雌遊嵌面３３２とが接触していないために雄継手２０と雌継手３０とが抜け易く連結解除を容易にすることができるという効果及び雄紐穴２６及び雌紐穴３６をゴム紐６１の伸縮に影響を与えない最小の大きさの直径に成形しているために、本発明の折畳杖を組み立てる際、雄継手２０と雌継手３０とを互いに中心部に引き寄せて連結することになり、より早く確実に折畳杖を組み立てることができるという効果がある。
【００１３】
継手リング４０に蓄光材料を塗布又は練り込んだことにより、本発明の折畳杖を夜間に使用する際において、継手リング４０部分が発光することにより杖使用者の存在を他の人々に示して杖使用者の安全を確保するとともに、杖使用者が継手リング４０の位置を確認できるために安全に折畳杖の組み立て及び折り畳みを行うことができるので指を挟む等の危険から身を守ることができるという効果が期待できる。
【発明を実施するための最良の形態】
【００１４】
本発明に係る折畳杖の特徴は、折畳み部分の連結に連結部材１０である雄継手２０、雌継手３０及び継手リング４０が使用されていることにあり、図１に示されるように、
１）継手リング４０には外周にリング部４３及び中心部分に継手穴４６が形成され、リング部４３の内周には継手係合部４３３及びパイプ係合部４３４が形成され、継手穴４６の両平面部には継手当接面４３１及びパイプ当接面４３２が形成されていること、
２）雄継手２０の雄テーパ部２１及び雌継手３０の雌テーパ部３１が同一のテーパで形成されており、折畳杖の使用状態である雄継手２０と雌継手３０が連結されている状態のときには雄テーパ部２１と雌テーパ部３１のみで面接触して嵌合していること、
３）雄テーパ部２１の両側にはテーパ状の雄係止部２１１と雄案内部２１２とが形成され、雌テーパ部３１の雄継手２０連結側にはテーパ状の雌案内部３１１が形成されていること、
４）雄継手２０の中心部に雄紐穴２６が形成され雌継手３０の中心部に雌紐穴３６が形成されていること、
である。
【実施例】
【００１５】
本発明の折畳杖の主な構成部材は、図１乃至図３に示されるように、連結部材１０、パイプ部材５０、ゴム紐６１、ハンドル６２及び石突き６３である。
連結部材１０は雄継手２０、雌継手３０及び継手リング４０によって構成されている。
雄継手２０は、図１（ａ）に示されるように、一端に鍔を持つ円柱状部材の鍔部から３段のテーパ部が先細に延設されて形成され、円柱中心部に貫通穴を形成した形状を有している。従って、円柱状部分が雄パイプ嵌合部２５、鍔が雄鍔２３、鍔側から１段目のテーパ部が雄係止部２１１、２段目のテーパ部が雄テーパ部２１、３段目のテーパ部が雄案内部２１２、貫通穴が雄紐穴２６として形成されていることになる。さらに、雄鍔２３には、雄パイプ嵌合部２５の外周に沿って平面状の雄係合面２３１が形成され雄係止部２１１の周囲に平面状の雄遊嵌面２３２が形成されている。
【００１６】
雌継手３０は、図１（ｂ）に示されるように、一端に鍔を持つ円柱状部材の鍔部から雄継手２０の雄係止部２１１と同一のテーパ角度を有する１段目のテーパ穴部及び雄テーパ部２１と同一のテーパ角度を有する２段目のテーパ穴部が形成され、続いて円柱中心部に貫通穴を形成した形状を有している。従って、円柱状部分が雌パイプ嵌合部３５、鍔が雌鍔３３、鍔側から１段目のテーパ穴部が雌案内部３１１、２段目のテーパ穴部が雌テーパ部３１、貫通穴が雌紐穴３６として形成されている。さらに、雌鍔３３には、雌パイプ嵌合部３５の外周に沿って平面状の雌係合面３３１を設け雌案内部３１１の周囲に平面状の雌遊嵌面３３２が形成されている。
さらに、雄継手２０と雌継手３０は雄テーパ部２１と雌テーパ部３１によってのみ面接触するように形成されている。
継手リング４０は、図１（ｃ）及び図１（ａ）、図１（ｂ）に示されるように、円板の両平面から円周部分に環状部分を残して深い座ぐり及び浅い座ぐり加工し、円板の中心部に雄継手２０の雄パイプ嵌合部２５及び雌継手３０の雌パイプ嵌合部３５を緩挿可能な直径を有する穴が形成されている。従って、環状部分がリング部４３、深い座ぐりの周壁部分が継手係合部４３３、深い座ぐりの底平面部分が継手当接面４３１、浅い座ぐりの周壁部分がパイプ係合部４３４、浅い座ぐりの底平面部分がパイプ当接面４３２、緩挿可能な穴が継手穴４６として形成されている。
【００１７】
本発明の実施例に係る折畳杖の材質及び寸法について下記する。
パイプ部材５０は、金属材料のアルミニウム製のパイプであり、外径１６ｍｍ、肉厚１．５ｍｍである。雄継手２０及び雌継手３０は金属材料のアルミニウム製であり、継手リング４０はプラスチック材料のナイロン製であり、雄継手２０の雄テーパ部２１及び雌継手３０の雌テーパ部３１におけるテーパ角度は８度である（なお、テーパ角度については、「ＪＩＳ工業用語大辞典」第４版、（財）日本規格協会発行、第１２５５頁参照）。さらに、継手リング４０には蓄光材料を塗布又は練り込んでいる。
しかしながら、ゴム紐６１、ハンドル６２及び石突き６３は、折畳杖に従来から使用されている部材であって強度及び形状においてほとんど同等であるので説明を省略する。
【００１８】
本発明に係る折畳杖の各部材の組み付けについて説明する。
雄継手２０と継手リング４０とパイプ部材５０との組み付けは、図１及び図２に示されるように、継手リング４０の継手係合部４３３方向から継手穴４６に雄継手２０の雄パイプ嵌合部２５を挿入し、パイプ部材５０を雄パイプ嵌合部２５に圧入し、雄係合面２３１と継手当接面４３１及びパイプ部材５０の端面とパイプ当接面４３２を圧着して組み付ける。雌継手３０とパイプ部材５０との組み付けは、図１及び図２に示されるように、パイプ部材５０を雌パイプ嵌合部３５に圧入し、雌係合面３３１とパイプ部材５０の端面を圧着して組み付ける。
図３（ａ）に示されるように、上端側パイプ５２はパイプ部材５０の上端に紐係止具６１１が固着され、下端に継手リング４０と雄継手２０が取り付けられている。中間パイプ５１はパイプ部材５０の上端に雌継手３０が取り付けられ、下端に継手リング４０と雄継手２０が取り付けられている。下端側パイプ５３はパイプ部材５０の上端に雌継手３０が取り付けられ、下端に紐係止具６１１が固着されている。
【００１９】
折畳杖としての組み付けを説明すると、図３（ａ）及び図３（ｂ）に示されるように、雄継手２０と雌継手３０の部分で連結された上端側パイプ５２と２本の中間パイプ５１と下端側パイプ５３の内部にゴム紐６１を挿通し、ゴム紐６１は適当な付勢力を与えて上端側パイプ５２の紐係止具６１１と下端側パイプ５３の紐係止具６１１に紐係止ピン６１２を使用して取り付けられる。続いて、ハンドル６２が上端側パイプ５２に固着され、石突き６３が下端側パイプ５３に固着され、１本の折畳杖が組み立てられる。
【００２０】
本実施例では、雄継手２０と継手リング４０とが一体になるように組立てたが、雌継手３０と継手リング４０とが一体になるように組立てても良く、パイプ部材５０の下端に雄継手２０を取り付けパイプ部材５０の上端に雌継手３０を取り付けているが、パイプ部材５０の下端に雌継手３０を取り付けパイプ部材５０の上端に雄継手２０を取り付けて組立てても良い。さらに、パイプ部材５０を雄継手２０及び雌継手３０に圧入して取り付けているが、接着など他の方法で取り付けても良い。
さらに、図４に示されるように、全長を調節できる杖とするために、ハンドル６２を嵌着したハンドル側パイプ５４に数個の掛止穴５４１を設け、上端側パイプ５２に掛止突起５２１を出没自在に取り付け、掛止突起５２１を任意の掛止穴５４１に掛合し全長を調節して回転輪５４５によって固定する構造を付加しても良い。
【００２１】
本発明の折畳杖の特徴と効果について説明する。
本発明の折畳杖を使用した場合には、図１及び図２に示されるように、雄継手２０と雌継手３０との連結は雄テーパ部２１と雌テーパ部３１との面接触によって行われており、雄継手２０に形成されている雄係止部２１１、雄案内部２１２及び雄当接面２３２は雌継手３０の雌案内部３１１、雌当接面３３２とは接触しないように形成されていることによって、軸方向及び軸直角方向の力に対してテーパ面方向及びテーパ面直角方向の力としてテーパ部の面接触部分に作用させることになって連結をより強くするという効果及び雄当接面２３２と雌当接面３３２とが接触していないために雄継手２０と雌継手３０とが抜け易く連結解除を容易にすることができるという効果がある。
本発明の実施例に係る折畳杖の組み立てにおいては、雄当接面２３２と雌当接面３３２との間隔は約０．４ｍｍである。
【００２２】
本発明の折畳杖を折り畳んで収納した状態から組み立てて使用しようとした場合には、図１、図２及び図５に示されるように、雄継手２０の雄案内部２１２と雌継手３０の雌案内部３１１が形成されていることによって、組み立てを容易にしているという効果がある。ここで、雄案内部２１２の内周円を円ｏ１かつ内周円直径を直径ａとし、雌案内部３１１の外周円を円Ｏかつ外周円直径を直径Ｄとし、直径ａの１．５倍の直径を有する円を円ｏ２かつ直径ｂとする。
雄継手２０が雌継手３０へ入るということは、図５（ａ）に示されるように、円Ｏの内部に円ｏ１があることであり、このとき円ｏ１の中心位置が存在する領域は円Ｏに円ｏ１が内接して移動する円ｏ１の中心位置の軌跡が示す円ｏ１１の内部であることから、円ｏ１１の直径は（Ｄ−ａ）である。しかしながら、図５（ｂ）に示されるように、ｂ＝１．５ａとなると、円ｏ２の中心位置の軌跡が示す円ｏ２１の直径は（Ｄ−ｂ）＝（Ｄ−１．５ａ）となり、円ｏ２１の直径は円ｏ１１の直径より小さくなる。
上記のことは、雌案内部３１１の外周直径Ｄに対して雄案内部２１２の内周直径ｄが小さければ小さいほど雄継手２０が雌継手３０に入り易くなることを示しており、雄案内部２１２及び雌案内部３１１にテーパ部分を形成して直径Ｄと直径ｄの差を大きくしているために雄継手２０が雌継手３０により入り易くなるという効果を発揮している。
【００２３】
継手リング４０の装着は、図１及び図２に示されるように、折畳杖を構成しているパイプ部材５０、雄継手２０及び継手リング４０が雄継手２０へのパイプ部材５０の圧入によって一体化されたことにより雄継手２０と雌継手３０との嵌着によってもたらされる効果を継手リング４０に伝えること、さらには継手リング４０の継手係合部４３３に雌継手３０の雌鍔３３が遊嵌されていることにより雌継手３０装着側のパイプ部材５０のぐらつき及び雄継手２０と雌継手３０との連結の僅かな遊びが発生した際においても雌鍔３３が継手係合部４３３によって動きを抑制され雄継手２０と雌継手３０との完全な連結を確保するように働くという効果を発揮する。また、継手リング４０にリング部４３を形成したために指及び手を連結部に挟み込むことがない。
【００２４】
さらに、継手リング４０に蓄光材料を塗布又は練りこんだことにより、本発明の折畳杖を夜間に使用する際において、継手リング４０部分が発光することにより杖使用者の存在を他の人々に示して杖使用者の安全を確保するとともに、杖使用者が継手リング４０の位置を確認できるために安全に折畳杖の組み立て及び折り畳みを行うことができるので指を挟む等の危険から身を守ることができるという効果が期待できる。
また、本発明の実施例に係る折畳杖に全長調節機構を付加した「新おりたたみストレート杖」を財団法人製品安全協会（CONSUMER  PRODUCT  SAFETY  ASSOCIATION）のＣＰＳＡ００７３（棒状つえの認定基準及び基準確認方法）による試験項目「２．強度」、試験方法「（２）支柱中央部に２００Ｎ（２０ｋｇｆ）の荷重を加えたとき、荷重点の最大たわみ量は１０ｍｍ以下であること。また、荷重を除去した後、破損、外れ及び使用上支障のある変形がないこと。」によって試験した結果において、試験結果「最大たわみ量９．４ｍｍ：異状なし」の試験成績報告書を財団法人日本文化用品安全試験所より受けていることからも本発明の折畳杖の強度が強く安全性が確保されているという効果が認められる。
【００２５】
雄紐穴２６及び雌紐穴３６をゴム紐６１の伸縮に影響を与えない最小の大きさの直径に成形しているために、本発明の折畳杖を組み立てる際、雄継手２０と雌継手３０とを互いに中心部に引き寄せて連結することになり、より早く確実に折畳杖を組み立てることができるという効果がある。
【図面の簡単な説明】
【００２６】
【図１】本発明に係る折畳杖の主たる構成部材である、（ａ）雄継手２０、（ｂ）雌継手３０、（ｃ）継手リング４０、の一部断面正面図である。
【図２】本発明に係る折畳杖の連結部材１０の一部断面組立正面図である。
【図３】本発明に係る折畳杖の、（ａ）組み立て状態を示す説明正面図、（ｂ）全体を示す説明正面図である。
【図４】本発明に係る折畳杖に全長調節できる構造を付加した状態示す一部省略説明正面図である。
【図５】本発明に係る折畳杖の組み立て易さを考察するための説明図である。
【図６】従来の折畳杖における、構造を示す説明図である。
【図７】従来のステッキにおける、折畳み連結部を示す説明図である。
【図８】従来のステッキにおける、折畳み連結部に使用されるねじ部を示す説明図である。
【図９】従来の市販品折畳杖における、連結部の構造を示す説明図である。
【符号の説明】
【００２７】
１０    連結部材
２０    雄継手
２１    雄テーパ部
２１１  雄係止部
２１２  雄案内部
２３    雄鍔
２３１  雄係合面
２３２  雄遊嵌面
２５    雄パイプ嵌合部
２６    雄紐穴
３０    雌継手
３１    雌テーパ部
３１１  雌案内部
３３    雌鍔
３３１  雌係合面
３３２  雌遊嵌面
３５    雌パイプ嵌合部
３６    雌紐穴
４０    継手リング
４３    リング部
４３１  継手当接面
４３２  パイプ当接面
４３３  継手係合部
４３４  パイプ係合部
４６    継手穴
５０    パイプ部材
５１    中間パイプ
５２    上端側パイプ
５２１  掛止突起
５３    下端側パイプ
５４    ハンドル側パイプ
５４１  掛止穴
５４２  雄ねじ
５４３  雌ねじ
５４４  係止輪
５４５  回転輪
６１    ゴム紐
６１１  紐係止具
６１２  紐係止ピン
６２    ハンドル
６２１  固着輪
６３    石突き
【図１】
2005278943.tif 000003
【図２】
2005278943.tif 000004
【図３】
2005278943.tif 000005
【図４】
2005278943.tif 000006
【図５】
2005278943.tif 000007
【図６】
2005278943.tif 000008
【図７】
2005278943.tif 000009
【図８】
2005278943.tif 000010
【図９】
2005278943.tif 000011